(57)【要約】【課題】開封及び再封の操作を正面板側と背面板側のどちらからでも行うことができる包装用箱を提供する。【解決手段】背面板１４の一端縁に、蓋板３２が第一折罫線３４を介して延設され、蓋板３２の先端縁に表面板４２を備える。背面板１４は、第一折罫線３４と第一折罫線３４の両端から連続する第一開封用破断線３６とで囲まれた第一差し込み部３８を備える。表面板４２は、蓋板３２に連続する第二差し込み部４６と蓋板３２に連続しない糊付け部４８とを有し、これらが第二開封用破断線５０で区切られる。第二側面板２０の一端縁に、裏面板２２が延設される。組み立て状態で、背面板１４は、裏面板２２の外面に対面し、第一差し込み部３８が、裏面板２２の第一保持部８８に重なる。表面板４２は、正面板１８の外面に対面し、第二差し込み部４６が、正面板１８の第二保持部７０に重なる。【選択図】図１
2019006472.tif 000002
【特許請求の範囲】
【請求項１】
一枚の箱体形成片から成り、前記箱体形成片には、背面板、第一側面板、正面板及び第二側面板が、互いに平行な折罫線を介して順に連接され、
前記背面板の、前記第一側面板が連接された端縁と直角な端縁に、蓋板が第一折罫線を介して延設され、
前記背面板には、前記第一折罫線と前記第一折罫線の両端から連続する第一開封用破断線とで囲まれた第一差し込み部が設けられ、
前記蓋板の先端縁に、表面板が第二折罫線を介して延設され、前記表面板は、前記蓋板に連続する第二差し込み部と前記蓋板に連続しない糊付け部とを有し、前記第二差し込み部と前記糊付け部が第二開封用破断線によって区切られ、
前記第二側面板の、前記正面板と反対側の端縁に、裏面板が折罫線を介して延設され、
組み立て状態で、前記正面板、前記第一側面板、前記背面板、及び前記第二側面板からなる筒状体が形成され、前記筒状体の開口端が前記蓋板によって閉鎖され、
前記背面板は、前記裏面板の外面に対面し、前記第一差し込み部が、前記裏面板の前記蓋板側の端部である第一保持部に重なり、前記第一差し込み部以外の部分が、前記裏面板の前記第一保持部以外の部分に糊付けされ、
前記表面板は、前記正面板の外面に対面し、前記第二差し込み部が、前記正面板の蓋板側の端部である第二保持部に重なり、前記糊付け部が、前記正面板の前記第二保持部以外の部分に糊付けされ、
前記背面板の前記第一開封用破断線を破断して開封された場合、前記背面板の前記第一差し込み部を前記裏面板の前記第一保持部に保持させることによって再封可能であり、
前記表面板の前記第二開封用破断線を破断して開封された場合、前記表面板の前記第二差し込み部を前記正面板の前記第二保持部に保持させることによって再封可能であることを特徴とする包装用箱。
【請求項２】
前記裏面板の前記第一保持部に第一切り込み線が設けられ、
前記背面板の前記第一開封用破断線を破断して開封した場合、前記背面板の前記第一差し込み部の先端部分を前記第一切り込み線に差し込むことによって再封可能である請求項１記載の包装用箱。
【請求項３】
前記正面板の前記第二保持部に第二切り込み線が設けられ、
前記表面板の前記第二開封用破断線を破断して開封した場合、前記表面板の前記第二差し込み部の先端部分を前記第二切り込み線に差し込むことによって再封可能である請求項１又は２記載の包装用箱。
【請求項４】
前記背面板の前記第一開封用破断線の中央部に、前記第一差し込み部の先端部分に指を掛けやすくするための第一指掛け孔が設けられ、
前記表面板の前記第二開封用破断線の中央部に、前記第二差し込み部の先端部分に指を掛けやすくするための第二指掛け孔が設けられている請求項１乃至３のいずれか記載の包装用箱。
【発明の詳細な説明】
【技術分野】
【０００１】
この発明は、商品等を収容した後、筒状体の開口部を糊付けして封止する包装用箱に関する。
【背景技術】
【０００２】
従来、例えば特許文献１に開示されているように、底板、前板、後板、及び２つの側板から成る箱本体と、前記後板の端部に延設され箱本体に対して開閉可能な蓋板と、蓋板の先端に延設され、前板に重ねて糊付けされる蓋板舌片とを備えた包装箱があった。蓋板舌片には、後板に連続する開封部と、前板に糊付けされる舌片糊付け部と、開封部の舌片糊付け部側に端部に設けられた引き代と、引き代の基端から蓋板舌片の両側端までを結ぶように設けられた破断線であって、引き代が引かれた時、開封部が舌片糊付け部から分離されるように破断誘導する一対の列開部とが設けられている。引き代は、開封時に、指で摘まんで引く部分で、蓋板舌片の略Ｕ字状の切り込み部に囲まれた部分により形成されている。
【０００３】
開封する時は、引き代を指で摘まんで引き上げて裂開部を破断させる操作を行い、蓋板を開く。再封する時は、蓋板を閉じ、蓋板舌片の部分（列開部で切り離されて蓋板に連続する部分）を前板の内側に差し込んで保持させる操作を行う。
【先行技術文献】
【特許文献】
【０００４】
【特許文献１】特開２００７−１５３４４４号公報
【発明の概要】
【発明が解決しようとする課題】
【０００５】
しかし、特許文献１の包装箱の場合、蓋板の開封及び再封の操作は、前板（正面板）の側からしか行うことができず、開封口を探して開封する動作が必要であった。さらに、近年、正面板と背面板の両面が正面である印刷表示が施された包装用箱もあり、包装用箱のどちらの側からもスムーズに開封可能な包装用箱が求められていた。
【０００６】
この発明は、開封及び再封の操作を正面板側と背面板側のどちらからでも行うことができる包装用箱を提供することを目的とする。
【課題を解決するための手段】
【０００７】
この発明は、一枚の箱体形成片から成り、前記箱体形成片には、背面板、第一側面板、正面板及び第二側面板が、互いに平行な折罫線を介して順に連接され、前記背面板の、前記第一側面板が連接された端縁と直角な端縁に、蓋板が第一折罫線を介して延設され、前記背面板には、前記第一折罫線と前記第一折罫線の両端から連続する第一開封用破断線とで囲まれた第一差し込み部が設けられ、前記蓋板の先端縁に、表面板が第二折罫線を介して延設され、前記表面板は、前記蓋板に連続する第二差し込み部と前記蓋板に連続しない糊付け部とを有し、前記第二差し込み部と前記糊付け部が第二開封用破断線によって区切られ、前記第二側面板の、前記正面板と反対側の端縁に、裏面板が折罫線を介して延設され、
組み立て状態で、前記正面板、前記第一側面板、前記背面板、及び前記第二側面板からなる筒状体が形成され、前記筒状体の開口端が前記蓋板によって閉鎖され、前記背面板は、前記裏面板の外面に対面し、前記第一差し込み部が、前記裏面板の前記蓋板側の端部である第一保持部に重なり、前記第一差し込み部以外の部分が、前記裏面板の前記第一保持部以外の部分に糊付けされ、前記表面板は、前記正面板の外面に対面し、前記第二差し込み部が、前記正面板の蓋板側の端部である第二保持部に重なり、前記糊付け部が、前記正面板の前記第二保持部以外の部分に糊付けされ、
前記背面板の前記第一開封用破断線を破断して開封された場合、前記背面板の前記第一差し込み部を前記裏面板の前記第一保持部に保持させることによって再封可能であり、前記表面板の前記第二開封用破断線を破断して開封された場合、前記表面板の前記第二差し込み部を前記正面板の前記第二保持部に保持させることによって再封可能である包装用箱である。
【０００８】
前記裏面板の前記第一保持部に第一切り込み線が設けられ、前記背面板の前記第一開封用破断線を破断して開封した場合、前記背面板の前記第一差し込み部の先端部分を前記第一切り込み線に差し込むことによって再封可能な構成にしてもよい。
【０００９】
また、前記正面板の前記第二保持部に第二切り込み線が設けられ、前記表面板の前記第二開封用破断線を破断して開封した場合、前記表面板の前記第二差し込み部の先端部分を前記第二切り込み線に差し込むことによって再封可能な構成にしてもよい。
【００１０】
さらに、前記背面板の前記第一開封用破断線の中央部に、前記第一差し込み部の先端部分に指を掛けやすくするための第一指掛け孔が設けられ、前記表面板の前記第二開封用破断線の中央部に、前記第二差し込み部の先端部分に指を掛けやすくするための第二指掛け孔が設けられた構成にすることが好ましい。
【発明の効果】
【００１１】
この発明の包装用箱は、開封及び再封の操作を正面板側と背面板側のどちらからでも行うことができ、どちらか一方を使用者が自由に選択できるというユニークな包装形態である。また、簡単な構造で組み立て易く、開封及び再封の操作も容易である。
【図面の簡単な説明】
【００１２】
【図１】この発明の包装用箱の第一の実施形態を展開した箱体形成片を表面側から見た図である。
【図２】図１に示す箱体形成片を筒状に組み立てた状態を、正面板側から見た斜視図（ａ）、背面板側から見た斜視図（ｂ）である。
【図３】第一の実施形態の包装用箱の組み立て状態を、正面板側から見た斜視図（ａ）、背面板側から見た斜視図（ｂ）である。
【図４】第一の実施形態の包装用箱が正面板側から開封された状態を示す斜視図（ａ）、その後再封された状態を示す斜視図（ｂ）である。
【図５】第一の実施形態の包装用箱が背面板側から開封された状態を示す斜視図（ａ）、その後再封された状態を示す斜視図（ｂ）である。
【図６】この発明の包装用箱の第二の実施形態を展開した箱体形成片を表面側から見た図である。
【図７】第二の実施形態の包装用箱の組み立て状態を、正面板側から見た斜視図（ａ）、背面板側から見た斜視図（ｂ）である。
【図８】第二の実施形態の包装用箱が正面板側から開封された状態を示す斜視図（ａ）、その後再封された状態を示す斜視図（ｂ）である。
【発明を実施するための形態】
【００１３】
以下、この発明の包装用箱の第一の実施形態について、図１〜図５に基づいて説明する。この実施形態の包装用箱１０は、図３（ａ）、（ｂ）に示すように、矩形の筒状体の両端部（天面側及び底面側）が各々閉鎖された箱体であり、図１に示す箱体形成片１２を組み立てて形成される。
【００１４】
箱体形成片１２は、厚紙等の一枚のブランクシートを打ち抜いて形成され、背面板１４、第一側面板１６、正面板１８、第二側面板２０が順に連接されている。さらに、第二側面板２０の側方には、組み立て状態で背面板１４の裏面側に対向し糊付される裏面板２２が連接されている。背面板１４及び正面板１８はほぼ同形であり、裏面板２２は、それよりも僅かに小さい。第一側面板１６及び第二側面板２０はほぼ同形である。背面板１４、第一側面板１６、正面板１８、第二側面板２０、裏面板２２は、互いに平行な折罫線２４，２６，２８，３０で各々区切られている。
【００１５】
背面板１４の天面側の端部には、略四角形の蓋板３２が延設され、第一折罫線３４で背面板１４と区切られている。蓋板３２の延設長さは、第一側面板１６の連接方向長さとほぼ等しい。また、背面板１４には、第一折罫線３４と第一折罫線３４の両端から連続する第一開封用破断線３６とで囲まれた第一差し込み部３８が設けられている。第一差し込み部３８は、第一開封用破断線３６側の端部が少し幅狭になっており、この幅狭な端部が円弧状に突出して先端部分３８ａとなり、先端部分３８ａの周縁部に第一指掛け孔４０が形成されている。先端部分３８ａは、開封時の摘みになる部分で、第一指掛け孔４０は、先端部分３８ａを摘まみやすくするために設けられている。
【００１６】
蓋板３２の先端縁には、表面板４２が第二折罫線４４を介して延設されている。表面板４２は、蓋板３２に連続する第二差し込み部４６と蓋板３２に連続しない糊付け部４８とを有し、第二差し込み部４６と糊付け部４８が第二開封用破断線５０によって区切られている。第二差し込み部４６は、第二開封用破断線５０側の端部が少し幅狭になっており、この幅狭な端部から連続する位置に、第二指掛け孔５２が形成されている。第二指掛け孔５２は、開封時、第二差し込み部４６の端部に指を掛けやすくするために設けられている。
【００１７】
背面板１４の底面側の端部には、台形状の外蓋片５４が延設され、折罫線５６で背面板１４と区切られている。また、折罫線５６の位置に、第一分解用破断線５８が設けられている。第一分解用破断線５８は、その両端部が折罫線５６の両端部に重なり、中央部が背面板１４内に入るように円弧状に形成された略Ω状の破断線である。折罫線５６と第一分解用破断線５８とで囲まれた第一押圧部６０は、組み立て状態の箱体を分解して廃棄する時に使用される。
【００１８】
第一側面板１６の天面側の端部にはフラップ６２が延設され、折罫線６４で第一側面板１６と区切られている。第一側面板１６の底面側の端部にも、フラップ６６が延設され、折罫線６８で第一側面板１６と区切られている。
【００１９】
正面板１８の天面側の端部は第二保持部７０であり、端縁中央部に、円弧状の切り欠き７０ａが設けられている。正面板１８の底面側の端部には、台形状の内蓋片７２が延設され、折罫線７４で正面板１８と区切られている。また、折罫線７４の位置に、第二分解用破断線７６が設けられている。第二分解用破断線７６は、その両端部が折罫線７４の両端部に重なり、中央部が正面板１８内に入るように円弧状に形成された略Ω状の破断線である。折罫線７４と第二分解用破断線７６とで囲まれた第二押圧部７８は、組み立て状態の箱体を分解して廃棄する時に使用される。
【００２０】
第二側面板２０の天面側の端部には、フラップ６２とほぼ同形のフラップ８０が延設され、折罫線８２で第二側面板２０と区切られている。第二側面板２０の底面側の端部にも、フラップ６６と同形のフラップ８４が延設され、折罫線８６で第二側面板２０と区切られている。
【００２１】
裏面板２２の天面側の端部は第一保持部８８であり、端縁から少し内側に入った位置に第一切り込み線８８ａが設けられている。第一切り込み線８８ａは、第一差し込み部３８の先端部分３８ａを差し込み可能な大きさになっている。また、裏面板２２の底面側の端端縁中央部には、円弧状の切り欠き９０が設けられている。切り欠き９０は、裏面板２２が背面板１４の裏面側に糊付されたとき、裏面板１４が第一押圧部６０に重ならないようにするために設けられている。
【００２２】
次に、この箱体形成片１２の組み立て方法の一例を説明する。図１は箱体形成片１２を表面側から見たものであり、以下、箱体形成片１２の表面側が凸になる折り方を正折り、裏面側が凸になる折り方を逆折りと称する。
【００２３】
まず、背面板１４の裏面の中央部（第一差し込み部３８、第一指掛け孔４０及び第一押圧部６０以外の領域）に図示しない糊を塗布した後、折罫線２８を正折りし、折罫線２４を正折りして、裏面板２２の表面を背面板１４の裏面に糊付する。箱体形成片１２は、この状態で、包装用箱１０の製造工場から商品を収容し包装する工場へ出荷される。
【００２４】
次に、商品を収容し包装する工場等において、折罫線２４，２６，２８，３０を各々９０度になるように正折りし、図２（ａ）、（ｂ）に示すように、四角形の筒状体９２を形成する。そして、天面側のフラップ６２，８０を各々折罫線６４，８２で９０度に正折りし、表面板４２の糊付け部４８の裏面に糊を塗布した後、第一折罫線３４と第二折罫線４４を各々９０度に正折りし、筒状体９２の天面側の開口端を蓋板３２で閉鎖するとともに、糊付け部４８の裏面を正面板１８の表面に糊付けする。この作業により、筒状体９２の天面側の端部が閉鎖される。この後、医薬品等の商品を、筒状体９２の底面側の開放している端部から内側に挿入する。
【００２５】
次に、底面側のフラップ６６，８４を各々折罫線６８，８６で９０度に正折りし、外蓋片５４の裏面または内蓋片７２表面に糊を塗布した後、内蓋片７２を折罫線７４で９０度に正折りし、外蓋片５４を折罫線５６で９０度に正折りし、外蓋片５４の裏面と内蓋片７２の表面を互いに糊付けする。この動作により、筒状体９２の天面側と底面側の両方が封止されて図３に示す状態になり、商品の包装作業が終了する。
【００２６】
図３（ａ）、（ｂ）に示す状態で、背面板１４の第一差し込み部３８は、裏面板２２の蓋板３２側の端部である第一保持部８８及び第一切り込み線８８ａの外面に、糊付けされずに重なっている。表面板４２の第二差し込み部４６は、正面板１８の蓋板３２側の端部である第二保持部７０及び切り欠き７０ａに、糊付けされずに重なっている。
【００２７】
包装用箱１０は、開封及び再封する操作を、正面板１８側と背面板１４側のどちらからでも行うことができる。
【００２８】
正面板１８側から開封するときは、まず、表面板４２の第二指掛け孔５２に指を入れて、第二差し込み部４６の端縁に指を掛ける。そして、指を掛けたまま上方に引き上げるようにして第二開封用破断線５０を破断させ、蓋板３２を開く。そして、フラップ６２，８０を引き上げて筒状体９２の端部を開放すると図４（ａ）に示す状態になり、中の商品を取り出すことができる。
【００２９】
この状態で、第二差し込み部４６は第二折罫線４４を介して蓋板３２と連続し、且つ、糊付け部４８は正面板１８に糊付けされているので、本体から分離する部分がなくゴミ等は生じない。
【００３０】
包装用箱１０を再封するときは、フラップ６２，８０を倒し、蓋板３２を倒し、第二差し込み部４６を正面板１８の第二保持部７０の内側に差し込む。これで、図４（ｂ）に示すように、第二差し込み部４６が第二保持部７０によって保持され、筒状体９２の端部が蓋板３２によって閉鎖される。
【００３１】
その後、再び蓋板３２を開くときは、第二保持部７０の切り欠き７０ａから露出する第二差し込み部４６に指を掛け、第二差し込み部４６と蓋板３２を引き上げる。
【００３２】
包装用箱１０を背面板１４側から開封するときは、まず、背面板１４の第一指掛け孔４０内に指を入れて、第一差し込み部３８の先端部分３８ａを指で摘まむ。そして、先端部分３８ａを上方に引き上げるようにして第一開封用破断線３６を破断させ、蓋板３２を開く。そして、フラップ６２，８０を引き上げて筒状体９２の端部を開放すると図５（ａ）に示す状態になり、中の商品を取り出すことができる。
【００３３】
この状態で、第一差し込み部３８は第一折罫線３４を介して蓋板３２と連続し、且つ、表面板４２は正面板１８に糊付けされているので、本体から分離する部分がなくゴミ等は生じない。また、背面板１４の、第一差し込み部３８が無くなった部分は、裏面板２２の第一保持部８８により閉鎖され、第一切り込み線８８ａの中央部が外側に露出する。
【００３４】
包装用箱１０を再封するときは、フラップ６２，８０を倒し、蓋板３２を倒し、第一差し込み部３８を裏面板２２の第一保持部８８の外側に配し、先端部分３８ａを第一切り込み線８８ａに差し込む。これで、図５（ｂ）に示すように、第一差し込み部３８が第一保持部８８によって保持され、筒状体９２の端部が蓋板３２によって閉鎖される。
【００３５】
その後、再び蓋板３２を開くときは、第一差し込み部３８に指を掛け、先端部分３８ａを第一切り込み線８８ａから引き抜くように、第一差し込み部３８と蓋板３２を引き上げる。なお、図４（ｂ）に示す場合と同様に、第一差し込み部３８を裏面板２２の第一保持部８８の内側に差し込んで、再封及び開封を行うようにしても良い。
【００３６】
包装用箱１０を分解して廃棄する操作は、正面板１８側と背面板１４側のどちらからでも行うことができる。
【００３７】
正面板１８側から分解するときは、第二押圧部７８を指で押し込んで第二分解用破断線７６を破断させ、第二押圧部７８に指を掛けたまま引き上げて内蓋片７２及び外蓋片５４を開くとともに、サイドフラップ６６，８４を引き上げて筒状体９２の底面側を開放する。さらに、再封されている天面側の端部も開放し、包装用箱１０を折り畳んで廃棄する。
【００３８】
背面板１４側から分解するときは、第一押圧部６０を指で押し込んで第一分解用破断線５８を破断させ、第一押圧部６０に指を掛けたまま引き上げて内蓋片７２及び外蓋片５４を開きくとともに、サイドフラップ６６，８４を引き上げて筒状体９２の底面側を開放する。さらに、再封されている天面側の端部も開放し、包装用箱１０を折り畳んで廃棄する。
【００３９】
以上説明したように、包装用箱１０は、開封、再封及び分解の操作を、正面板１８側と背面板１４側のどちらからでも行うことができ、どちらか一方を使用者が自由に選択できるというユニークな包装形態である。また、簡単な構造で組み立て易く、各操作も容易である。
【００４０】
次に、この発明の包装用箱の第二の実施形態について、図６〜図８に基づいて説明する。この実施形態の包装用箱９４は、図７（ａ）、（ｂ）に示すように、矩形の筒状体の両端部（天面側及び底面側）が各々閉鎖された箱体であり、図６に示す箱体形成片９６を組み立てて形成される。箱体形成片９６は、上記の箱体形成片１２と同様の構成であり、異なるのは、表面板４２の第二差し込み部４６が第二差し込み部９８に変更されている点と、正面板１８の第二保持部７０が第二保持部１００に変更されている点である。
【００４１】
以下、包装用箱９４及び箱体形成片９６について、上記の包装用箱１０及び箱体形成片１２と同様の構成は同一の符号を付して説明を省略し、構成が異なる部分について説明する。
【００４２】
表面板４２は、蓋板３２に連続する第二差し込み部９８と蓋板３２に連続しない糊付け部４８とを有し、第二差し込み部９８と糊付け部４８が第二開封用破断線５０によって区切られている。第二差し込み部９８は、第二開封用破断線５０側の端部が少し幅狭になっており、この幅狭な端部が円弧状に突出して先端部分９８ａとなり、先端部分９８ａの周縁部に第二指掛け孔５２が形成されている。先端部分９８ａは、開封時の摘みとなる部分で、第二指掛け孔５２は、先端部分９８ａを摘まみやすくするために設けられている。
【００４３】
正面板１８の天面側の端部は第二保持部１００であり、端縁から少し内側に入った位置に第二切り込み線１００ａが設けられている。第二切り込み線１００ａは、第二差し込み部９８の先端部分９８ａを差し込み可能な大きさになっている。
【００４４】
この箱体形成片９４は、上記の箱体形成片１２と同様の手順で組み立てられ、図７（ａ）、（ｂ）に示す組み立て状態になる。この状態で、背面板１４の第一差し込み部３８は、上記と同様に、裏面板２２の蓋板３２側の端部である第一保持部８８及び第一切り込み線８８ａの外面に、糊付けされずに重なっている。また、表面板４２の第二差し込み部９８は、正面板１８の蓋板３２側の端部である第二保持部１００及び第二切り込み線１００ａに、糊付けされずに重なっている。
【００４５】
包装用箱９４も、開封及び再封する操作を、正面板１８側と背面板１４側のどちらからでも行うことができる。
【００４６】
正面板１８側から開封するときは、まず、表面板４２の第二指掛け孔５２に指を入れて、第二差し込み部９８の先端部分９８ａを指で摘まむ。そして、先端部分９８ａを上方に引き上げるようにして第二開封用破断線５０を破断させ、蓋板３２を開く。そして、フラップ６２，８０を引き上げて筒状体９２の端部を開放すると図８（ａ）に示す状態になり、中の商品を取り出すことができる。
【００４７】
包装用箱９４を再封するときは、フラップ６２，８０を倒し、蓋板３２を倒し、第二差し込み部９８を正面板１８の第二保持部１００の外側に配し、先端部分９８ａを第二切り込み線１００ａに差し込む。これで、図８（ｂ）に示すように、第二差し込み部９８が第二保持部１００によって保持され、筒状体９２の端部が蓋板３２によって閉鎖される。
【００４８】
その後、再び蓋板３２を開くときは、第二差し込み部９８に指を掛け、先端部分９８ａを第二切り込み線１００ａから引き抜くように、第二差し込み部９８と蓋板３２を引き上げる。
【００４９】
背面板１４側から開封する操作は、上記包装用箱１０と同様である。また、包装用箱９４を分解して廃棄する操作も、上記包装用箱１０と同様である。
【００５０】
上記の包装用箱１０の場合、正面板１８側の開封及び再封の構成（第二差し込み部４６及び第二保持部７０）と、背面板１４側の開封及び再封の構成（第一差し込み部３８及び第一保持部８８）とが異なっている。これに対して、包装用箱９４の場合、正面板１８側の開封及び再封の構成（第二差し込み部９８及び第二保持部１００）と、背面板１４側の開封及び再封の構成（第一差し込み部３８及び第一保持部８８）とが同様であるという特徴がある。この包装用箱９４においても、上記包装用箱１０と同様の効果を得ることができる。
【００５１】
なお、この発明の包装用箱は上記実施形態に限定されるものではない。例えば、包装用箱１０の第一及び第二指掛け孔４０，５２は、開封操作に支障がなければ省略することができる。これは、包装用箱９４についても同様である。また、包装用箱１０は、第二保持部７０に円弧状の切り欠き７０ａを設けているが、再封後、再び蓋板３２を開く操作に支障がなければ省略することができる。
【００５２】
開封及び再封の構成を正面板側と背面板側で共通化する場合、包装用箱９４では、背面板１４側の構成（第一差し込み部３８及び第一保持部８８）で共通化しているが、正面板１８側の構成（第二差し込み部９８及び第二保持部１００）で共通化してもよい。
【００５３】
筒状体の４つの面は、どの面を背面板及び正面板にしても良い。この発明では、蓋板が延設される面を背面板、背面板と対向する面を正面板と定義しているが、この正面板は、必ずしも箱体の表示上又は展示上の正面である必要はない。その他、箱体の大きさ、素材、各部材の形状等は適宜変更可能であり、開封部及び透孔の形状は、箱体の素材の強度などを考慮し、適宜設定することができる。
【符号の説明】
【００５４】
１０，９４  包装用箱
１２，９６  箱体形成片
１４  背面板
１６  第一側面板
１８  正面板
２０  第二側面板
２２  裏面板
３２  蓋板
３４  第一折罫線
３６  第一開封用破断線
３８  第一差し込み部
３８ａ  先端部分
４０  第一指掛け孔
４２  表面板
４４  第二折罫線
４６  第二差し込み部
４８  糊付け部
５０  第二開封用破断線
５２  第二指掛け孔
７０  第二保持部
８８  第一保持部
８８ａ  第一切り込み線
９２  筒状体
９８  第二差し込み部
９８ａ  先端部分
１００  第二保持部
１００ａ  第二切り込み線
【図１】
2019006472.tif 000003
【図２】
2019006472.tif 000004
【図３】
2019006472.tif 000005
【図４】
2019006472.tif 000006
【図５】
2019006472.tif 000007
【図６】
2019006472.tif 000008
【図７】
2019006472.tif 000009
【図８】
2019006472.tif 000010